(57)【要約】【課題】  温度や湿度が変化した場合でも、筬の変形を抑制でき、それにより鍵の適正な取付け状態を維持し、安定したタッチ感と、鍵、アクションおよびハンマーの適正な動作を確保することができる鍵盤楽器の筬を提供する。【解決手段】  ピン係合部３ｂ、３ｃを有する複数の鍵３ａを載置し、支持する鍵盤楽器の筬１１であって、左右方向に延びるとともに、前後方向に並び、互いに接合された複数の木質材１２ａ〜１２ｆおよび１３ａ〜１３ｆと、隣り合う少なくとも２つの木質材の間に介在し、一体に設けられたフェノールバッカー１０ａ〜１０ｆと、木質材に立設され、鍵３ａのピン係合部３ｂ、３ｃがそれぞれ係合するピン１３ｆ、１２ｇと、を備えている。【選択図】  図２
2008026755.tif 000002
【特許請求の範囲】
【請求項１】
ピン係合部を有する複数の鍵を載置し、支持する鍵盤楽器の筬であって、
左右方向に延びるとともに、前後方向に並び、互いに接合された複数の木質材と、
隣り合う少なくとも２つの前記木質材の間に介在し、一体に設けられたフェノールバッカーと、
前記木質材に立設され、前記鍵の前記ピン係合部が係合するピンと、
を備えていることを特徴とする鍵盤楽器の筬。
【請求項２】
前記フェノールバッカーは、前記木質材の左右方向の全体にわたって設けられていることを特徴とする請求項１に記載の鍵盤楽器の筬。
【発明の詳細な説明】
【技術分野】
【０００１】
本発明は、複数の鍵を載置し、支持する鍵盤楽器の筬に関する。
【背景技術】
【０００２】
従来の鍵盤楽器の筬として、例えば特許文献１に開示されたものが知られている。この筬は、鍵盤の前端部の下側に配置され、左右方向に延びる筬前と、鍵盤の前後方向の中央の下側に配置され、左右方向に延びる筬中を有している。また、筬前にはフロントピンが、筬中にはバランスピンが、鍵ごとに立設されている。一方、鍵の前端部の下面には、フロントピン穴が形成され、鍵の前後方向の中央にはバランスピン孔が形成されている。そして、鍵は、そのフロントピン穴がフロントピンに係合し、バランスピン孔がバランスピンに係合した状態で、筬中に回動自在に支持されている。
【０００３】
筬前は、前後方向に並び、互いに継ぎ合わされた複数（この例では６つ）の部材で構成され、筬中もまた、前後方向に並び、継ぎ合わされた複数（５つ）の部材で構成されている。また、これらの複数の部材のうち、フロントピンやバランスピンを立設した部材は、ブナやカエデなどの堅木から成る板材で構成され、他の部材はむくのスプルス材で構成されている。
【０００４】
一般に、木材には、温度や湿度の変化に伴って反りや捻れなどの変形が発生しやすいという特性がある。上述した従来の筬では、フロントピンやバランスピンを立設した部材が合板で構成されているので、その部分の変形はある程度、抑制できるものの、筬全体としての反りや捻れを十分に抑制できない。そのような変形が筬に発生すると、その上にバランスピンを介して支持された鍵の位置や角度が適正な状態からずれるとともに、それに伴い、鍵と、アクションおよびハンマーとの位置関係なども変化してしまう。特に、筬の反りや捻れは、鍵の高さに直接、影響し、鍵の「あがき」（押鍵深さ）を変化させるため、アクションの整調が困難になってしまう。同じ理由から、鍵のタッチ感が変化するとともに、鍵、アクションおよびハンマーの適正な動作を確保できなくなり、演奏に悪影響を及ぼすおそれがある。
【０００５】
本発明は、上記のような課題を解決するためになされたものであり、温度や湿度が変化した場合でも、筬の変形を抑制でき、それにより鍵の適正な取付け状態を維持し、安定したタッチ感と、鍵、アクションおよびハンマーの適正な動作を確保することができる鍵盤楽器の筬を提供することを目的としている。
【０００６】
【特許文献１】特開平１０−１４３１４３号公報
【発明の開示】
【課題を解決するための手段】
【０００７】
上記の目的を達成するために、本願の請求項１に係る発明は、ピン係合部を有する複数の鍵を載置し、支持する鍵盤楽器の筬であって、左右方向に延びるとともに、前後方向に並び、互いに接合された複数の木質材と、隣り合う少なくとも２つの木質材の間に介在し、一体に設けられたフェノールバッカーと、木質材に立設され、鍵のピン係合部が係合するピンと、を備えていることを特徴とする。
【０００８】
この鍵盤楽器の筬では、左右方向に延びるとともに前後方向に並び、互いに接合された複数の木質材のうち、互いに隣り合う少なくとも２つの木質材の間に、フェノールバッカー（フェノール樹脂含浸紙）が介在しており、複数の木質材とフェノールバッカーが一体化されている。フェノールバッカーは、高い剛性と、温度や湿度の変化に対する高い寸法安定性を有している。したがって、木質材が、これと一体のフェノールバッカーで拘束されることにより、温度や湿度が変化した場合でも、木質材の変形、ひいては筬全体の変形を十分に抑制することができる。その結果、木質材に立設されたピンおよびピン係合部を介して筬に支持された鍵の位置や角度が、適正な状態に維持されるとともに、鍵とアクションおよびハンマーとの位置関係も適正に維持されるので、アクションの整調を容易に行うことができる。また、同じ理由により、温度や乾湿にかかわらず、鍵の安定したタッチ感と、鍵、アクションおよびハンマーの適正な動作を確保することができる。
【０００９】
請求項２に係る発明は、請求項１に記載の鍵盤楽器の筬において、フェノールバッカーは、木質材の左右方向の全体にわたって設けられていることを特徴とする。
【００１０】
この構成では、フェノールバッカーが木質材の左右方向の全体にわたって設けられているので、木質材およびフェノールバッカーがより強固に一体化される。それにより、木質材の変形に対して、フェノールバッカーの拘束による抑制効果を最大限に発揮させることができる。その結果、筬の変形がさらに抑制されるので、上述した請求項１に係る発明による効果をより良好に得ることができる。
【発明を実施するための最良の形態】
【００１１】
以下、本発明の好ましい実施形態を、図面を参照しながら詳細に説明する。図１は、本発明による筬１１を用いたグランドピアノの鍵盤装置を示している。この鍵盤装置１は、棚板２上に設けられた筬１１と、筬１１に載置され、複数の白鍵および黒鍵で構成された鍵盤３と、アクション４（図２参照）などで構成されている。
【００１２】
筬１１は、前後方向に間隔を隔てて配置され、互いに平行に左右方向に延びる筬前１２、筬中１３および筬後１４を有している。また、筬１１の左右の端部には、筬妻１５、１５がそれぞれが設けられ、両筬妻１５、１５の間には、所定の間隔で３つの筬中束１６が設けられており、これらの筬妻１５および筬中束１６によって、筬前１２、筬中１３および筬後１４が互いに一体に連結されている。
【００１３】
図３に示すように、筬前１２は、第１〜第６部材１２ａ〜１２ｆ（複数の木質材）と、フロントピン１２ｇ（ピン）などで構成されている。第１〜第６部材１２ａ〜１２ｆは、前側から順に並んでおり、同じ長さと矩形の断面を有し、左右方向に延びていて、例えば接着剤で互いに接着されている。また、後ろ側の第４〜第６部材１２ｄ〜１２ｆは、前側の第１〜第３部材１２ａ〜１２ｃよりも高さが若干、低くなっている。第２部材１２ｂおよび第５部材１２ｅは、硬い木質材、例えばブナやカエデなどの堅木で構成され、他の部材は、より軟らかい木質材、例えばスプルス材で構成されている。また、第２部材１２ｂの所定の複数の位置には、白鍵用のフロントピン１２ｇが、左右方向に並んで立設されており、第５部材１２ｅの所定の複数の位置には、黒鍵用のフロントピン１２ｇが、左右方向に並んで立設されている（図１に一部のみ図示）。
【００１４】
また、第２部材１２ｂと、その前後の第１および第３部材１２ａ、１２ｃの間には、所定の厚さを有する薄板状のフェノールバッカー１０ａ、１０ａがそれぞれ介在しており、また、第５部材１２ｅと、その前後の第４および第６部材１２ｄ、１２ｆの間には、同様のフェノールバッカー１０ｂ、１０ｂがそれぞれ介在している。フェノールバッカー１０ａ、１０ｂは、フェノール樹脂を含浸させた紙で構成されており、第１〜第６部材１２ａ〜１２ｅと比較して、高い剛性と、温度や湿度の変化に対する高い寸法安定性を有している。
【００１５】
フェノールバッカー１０ａは、第１部材１２ａと第２部材１２ｂの間、および第２部材１２ｂと第３部材１２ｃの間に、それらの左右方向および上下方向の全面にわたって設けられ、貼り付けられている。同様に、フェノールバッカー１０ｂも、第５部材１２ｅと第４部材１２ｄの間、および第５部材１２ｅと第６部材１２ｆの間に、それらの全面にわたって設けられ、貼り付けられている。以上のように、筬前１２の第１〜第６部材１２ａ〜１２ｆ、および計４枚のフェノールバッカー１０ａ、１０ｂは一体に構成されている。
【００１６】
筬中１３は、筬前１２と同様の構成を有している。図４に示すように、筬中１３は、前側から順に並んだ第１〜第５部材１３ａ〜１３ｅ（複数の木質材）を有しており、これらの第１〜第５部材１３ａ〜１３ｅは、左右方向に延びるとともに、接着剤で互いに接着されている。第２および第４部材１３ｂ、１３ｄは、ブナやカエデなどの堅木で構成され、他の部材はスプルス材で構成されている。第２部材１３ｂの上面後部、第３部材の上面および第４部材１３ｄの上面前部は後ろ下がりに若干、傾斜しており、第４部材１３ｄの上面後部と第５部材１３ｅの上面は、より急角度で後ろ下がりに傾斜している。第２部材１３ｂの上面前部および第１部材１３ａの上面は前下がりに傾斜している。また、第２部材１３ｂの所定の複数の位置には、白鍵用のバランスピン１３ｆ（ピン）が立設され、第４部材１３ｄの所定の複数の位置には、黒鍵用のバランスピン１３ｆが立設されている（図１に一部のみ図示）。
【００１７】
また、第１〜第５部材１３ａ〜１３ｅの隣り合う２つの部材の間には、前述した筬前１２のフェノールバッカー１０ａ、１０ｂと同様に構成され、前側から順に並んだフェノールバッカー１０ｃ〜１０ｆが介在している。各フェノールバッカーは、その前後の隣り合う部材間の全面にわたって設けられ、貼り付けられている。以上のように、筬中１３の第１〜第５部材１３ａ〜１３ｅと、フェノールバッカー１０ｃ〜１０ｆは一体に構成されている。
【００１８】
前述したように、鍵盤３は、複数の白鍵および黒鍵（以下、総称して「鍵」という）によって構成されており、図２に示すように、各鍵３ａの中央には、上下方向に貫通するバランスピン孔３ｂ（ピン係合部）が形成されている。このバランスピン孔３ｂは、筬中１３のバランスピン１３ｆに係合しており、鍵３ａは、バランスピン１３ｆを中心として筬中１３に回動自在に支持されている。また、鍵３ａの前端部の下面には、フロントピン穴３ｃ（ピン係合部）が形成されており、このフロントピン穴３ｃは、筬前１２のフロントピン１２ｇに係合している。また、離鍵状態においては、鍵３ａの後端部が、筬後１４の上面に設けられた鍵盤枕クロス１４ａに載置されている。
【００１９】
また、筬中１３の下面には、丸型の頭部を有するボルトから成る複数の筬すべり金具１１ｂ（図１に１つのみ図示）が、筬中１３の長さ方向に間隔を隔てて配置され、取り付けられている。筬１１は、これらの筬すべり金具１１ｂの頭部が棚板２に接した状態で、棚板２に載置されている。この構成により、筬１１は、棚板２に対して前後方向および左右方向にスライド自在であるとともに，棚板２から前方に引き出し可能になっている。
【００２０】
また、筬１１の上面の左右の端部には、ブラケット台１１ａ、１１ａが設けられており、それらの上に固定されたブラケット５、５（図２に１つのみ図示）を介して、前記アクション４が取り付けられている。具体的には、左右のブラケット５、５の間には、ウィッペンレール６およびハンマーシャンクレール７が渡されており、ウィッペンレール６にはウィッペン４ａが、ハンマーシャンクレール７にはハンマー８が、それぞれ鍵３ａごとに設けられ（ともに１つのみ図示）、回動自在に支持されている。また、各ウィッペン４ａは、対応する鍵３ａのバランスピン１３ｆよりも後ろ側の位置に、キャプスタンスクリュー３ｄを介して載置されている。また、ウィッペン４ａにはジャック４ｂが回動自在に支持されている。
【００２１】
以上の構成により、鍵３ａが押鍵されると、鍵３ａがバランスピン１３ｆを中心として、フロントピン１２ｇに案内されながら回動することにより、キャップスタンスクリュー３ｄを介してウィッペン４ａが突き上げられることによって、アクション４が作動する。それにより、ジャック４ｂによりハンマー８が突き上げられ、上方に張られた弦Ｓを打弦することによって、ピアノ音が発生する。
【００２２】
以上のように、本実施形態によれば、筬前１２の第１〜第６部材１２ａ〜１２ｆが、これらと一体のフェノールバッカー１０ａ、１０ｂにより拘束され、筬中１３の第１〜第５部材１３ａ〜１３ｅが、これらと一体のフェノールバッカー１０ｃ〜１０ｆに拘束されることによって、温度や湿度が変化した場合でも、筬前１２および筬中１３の変形、ひいては筬１１全体の変形を十分に抑制することができる。
【００２３】
その結果、筬中１３に立設されたバランスピン１３ｆに支持され、筬前１２に立設されたフロントピン１２ｇによって案内される鍵３ａの位置や角度が適正な状態に維持されるとともに、鍵３ａとアクション４およびハンマー８との位置関係も適正に維持されるので、アクション４の整調を容易に行うことができる。また、同じ理由により、温度や乾湿にかかわらず、鍵３ａの安定したタッチ感と、鍵３ａ、アクション４およびハンマー８の適正な動作を確保することができる。
【００２４】
また、フェノールバッカー１０ａ、１０ｂが筬前１２に、フェノールバッカー１０ｃ〜１０ｆが筬中１３に、それぞれ左右方向の全体にわたって設けられているので、木質材の変形に対して、フェノールバッカー１０ａ〜１０ｆの拘束による抑制効果を最大限に発揮させることができる。その結果、筬１１の変形がさらに抑制されるので、上述した効果をより良好に得ることができる。
【００２５】
なお、本発明は、上述した実施形態に限定されることなく、種々の態様で実施することができる。例えば、実施形態は、フェノールバッカーを、フロントピン１２ｇを立設した部材とその前後の部材の間、およびバランスピン１３ｆを立設した部材とその前後の部材との間に設けた例であるが、これに限定されることなく、すべての部材間、または任意の隣接する部材間に適宜、設けてもよい。また、実施形態は、本発明をグランドピアノに適用した例であるが、本発明を、アップライトピアノや筬を有する他の鍵盤楽器に適用してもよい。その他、細部の構成を、本発明の趣旨の範囲内で適宜、変更することが可能である。
【図面の簡単な説明】
【００２６】
【図１】本発明による筬を用いたグランドピアノの鍵盤装置を示す斜視図である。
【図２】図１の線Ａ−Ａに沿う断面図である。
【図３】図２の筬前を示す部分拡大断面図である。
【図４】図２の筬中を示す部分拡大断面図である。
【符号の説明】
【００２７】
３ａ  鍵
３ｂ  バランスピン孔（ピン係合部）
３ｃ  フロントピン穴（ピン係合部）
１０ａ〜１０ｆ  フェノールバッカー
１１    筬
１２ａ〜１２ｆ  第１〜第６部材（複数の木質材）
１２ｇ  フロントピン（ピン）
１３ａ〜１３ｅ  第１〜第５部材（複数の木質材）
１３ｆ  バランスピン（ピン）
【図１】
2008026755.tif 000003
【図２】
2008026755.tif 000004
【図３】
2008026755.tif 000005
【図４】
2008026755.tif 000006